(57)【要約】【課題】求職者が求人者の選択を容易に行えることで、求人者にとっても的確な求人が行える求人求職支援システムを得る。【解決手段】求職者端末２と、求人求職サーバ３とがインターネット５を介して接続されている。求職者端末２は、求人者の求人対象の職種ごとに割り当てられた４桁のアクセス番号９を送信する。アクセス番号９は、求人者の求人募集条件と共に広告媒体６に掲載されている。求人求職サーバ３は、各求人者の求人情報を登録した求人者情報データベースと、求職者端末２からのアクセス番号９を受信する手段と、受信したアクセス番号９に対応する求人者の求人情報を求人者情報データベースから抽出する手段と、抽出された求人情報をアクセス番号９を送信した求職者の求職者端末２に送信する手段とを有しており、求人情報を求職者端末２に送信する際に、当該求人情報の内容に類似した他の求人者に関する情報を付加する。【選択図】図１
2006072462.tif 000002
【特許請求の範囲】
【請求項１】
多数の求職者がそれぞれ所有する求職者端末（２）と、多数の求人者の求人情報を管理する求人求職サーバ（３）とがインターネット（５）を介して接続されており、
各求職者端末（２）は、求人者の求人対象の職種ごとに割り当てられたアクセス番号（９）を送信する手段を有しており、
前記アクセス番号（９）は、数桁の数字からなっていて、広告媒体（６）において当該アクセス番号（９）に対応する求人者の求人募集条件と共に掲載されており、
求人求職サーバ（３）は、各求人者の求人情報を登録した求人者情報データベースと、求職者端末（２）から送信されたアクセス番号（９）を受信する手段と、前記受信したアクセス番号（９）に対応する求人者の求人情報を前記求人者情報データベースから抽出する手段と、前記抽出された求人情報を前記アクセス番号（９）を送信した求職者の求職者端末２に送信する手段とを有しており、
求人求職サーバ（３）は、前記求人情報を前記求職者端末（２）に送信する際に、当該求人情報の内容に類似した他の求人者に関する情報を付加することを特徴とする求人求職支援システム。
【請求項２】
前記広告媒体（６）は、各求人者の求人対象の職種ごとに求人募集条件を掲載した多数の記載枠（７）を有しており、
各記載枠（７）には、アクセス番号（９）がそれぞれ掲載されており、
各記載枠（７）は、職種ごとに分類されて広告媒体（６）に掲載されている請求項１記載の求人求職支援システム。
【請求項３】
多数の求人者がそれぞれ所有する求人者端末（１）が、インターネット（５）を介して前記求人求職サーバ（３）に接続されており、
前記求職者端末（２）は、求職者の個人情報を送信する手段を有しており、
求人求職サーバ（３）は、求職者端末（２）で送信された求職者の個人情報を受信する手段と、受信した求職者の個人情報を登録する求職者情報データベースと、前記求職者情報データベースから求人者の求人募集条件に適合する求職者の個人情報を抽出する手段と、前記抽出した求職者の個人情報を、前記適合した求人募集条件の求人者の求人者端末（１）に送信する手段とを有する請求項１記載の求人求職支援システム。
【請求項４】
前記求人求職サーバ（３）は、求職者を匿名にして、求職者の個人情報を求人者端末（１）に送信する請求項３記載の求人求職支援システム。
【発明の詳細な説明】
【技術分野】
【０００１】
本発明は、正社員、契約社員および委託社員などの求人や求職の活動を支援するシステムに関する。
【背景技術】
【０００２】
特許文献１には、求職者が所有する求職者端末と、求人者の求人情報を管理する求人求職サーバとがインターネットを介して接続されて、求人者の求人情報を求職者端末に送信するシステムが開示されている。
【０００３】
【特許文献１】特開２００４−９４７０４号公報（段落番号００１２、図１）
【特許文献２】特開２００４−２１５７１号公報（段落番号００１３、図１）
【特許文献３】特開２００３−２８１４００号公報（図１）
【特許文献４】特開２００２−７４０６６号公報（図１）
【特許文献５】特開平１１−１７５５９４号公報（図２）
【発明の開示】
【発明が解決しようとする課題】
【０００４】
駅やコンビニエンスストアーなどには、多数の求人者の求人情報を掲載したフリーペーパーなどの広告媒体が置かれているが、紙面などの関係から各求人者の求人情報を広告媒体に詳しく掲載することは困難である。さらにフリーペーパーは、インデックス的な役割を果たすものであって見易くする必要があり、この点からも求人情報が簡略化されて掲載されている。このため、求職者が、各求人者の求人情報を詳しく知りたい場合には、各求人者に電話などで問い合わせる必要があり、その手間が煩わしいことになる。
【０００５】
また、求職者が、多数の求人者の求人情報の中から希望する条件に合った求人者を容易に選択することができると、求人者にとっても的確な求人が行えたことになり、これによって求人求職の市場の活性化を図ることができる。
【０００６】
そこで本発明の目的は、求職者の求人者の選択の手間を低減して、求人者にとっても的確な求人が行える求人求職支援システムを提供することにある。
【課題を解決するための手段】
【０００７】
本発明は、図１に示すごとく、多数の求職者がそれぞれ所有する求職者端末２と、多数の求人者の求人情報を管理する求人求職サーバ３とがインターネット５を介して接続されている。各求職者端末２は、求人者の求人対象の職種ごとに割り当てられたアクセス番号９を送信する手段を有している。かかるアクセス番号９は、数桁の数字からなっていて、広告媒体６において当該アクセス番号９に対応する求人者の求人募集条件と共に掲載されている。求人求職サーバ３は、各求人者の求人情報を登録した求人者情報データベースと、求職者端末２から送信されたアクセス番号９を受信する手段と、前記受信したアクセス番号９に対応する求人者の求人情報を求人者情報データベースから抽出する手段と、前記抽出された求人情報をアクセス番号９を送信した求職者の求職者端末２に送信する手段とを有している。求人求職サーバ３は、前記求人情報を求職者端末２に送信する際に、当該求人情報の内容に類似した他の求人者に関する情報を付加する。
【０００８】
ここでの求人募集条件は、求人対象の職種、給料、勤務地および勤務時間などが該当する。求人情報は、前記求人募集条件に加えて、各求人者の会社概要、職場の写真および求人者の所在地の地図などの詳細な情報が該当する。職種としては、技術職、営業職、事務職および専門職などが該当する。アクセス番号９は、通常のサイトのアドレス（ＵＲＬ）に使用されるアルファベットや数字や記号の個数よりも少ない桁数であればよく、３〜７桁程度が好ましい。他の求人者には、前記抽出された求人情報の求人者と、勤務地や給料などの求人募集条件が類似する他の求人者が該当する。他の求人者に関する情報としては、少なくとも他の求人者のアクセス番号９が含まれる。
【０００９】
具体的には、広告媒体６は、各求人者の求人対象の職種ごとに求人募集条件を掲載した多数の記載枠７を有しており、各記載枠７には、アクセス番号９がそれぞれ掲載されている。各記載枠７は、職種ごとに分類されて広告媒体６に掲載されているものとすることができる。
【００１０】
また、多数の求人者がそれぞれ所有する求人者端末１が、インターネット５を介して前記求人求職サーバ３に接続されており、求職者端末２は、求職者の個人情報を送信する手段を有しており、求人求職サーバ３が、求職者端末２で送信された求職者の個人情報を受信する手段と、受信した求職者の個人情報を登録する求職者情報データベースと、前記求職者情報データベースから求人者の求人募集条件に適合する求職者の個人情報を抽出する手段と、前記抽出した求職者の個人情報を、前記適合した求人募集条件の求人者の求人者端末１に送信する手段とを有するものとすることができる。求職者の個人情報には、求職者の年齢、学歴、職歴、適性試験の結果、求職者が保有する資格およびメールアドレスなどが含まれる。
【００１１】
求職者の秘密保持のために、求人求職サーバ３は、求職者を匿名にして、求職者の個人情報を求人者端末１に送信する。
【発明の効果】
【００１２】
本発明によれば、求職者が、広告媒体６に掲載された求人者の詳細な求人情報を知りたい場合には、数桁の数字からなるアクセス番号９を求職者端末２で入力するだけで、当該求人者の求人情報を求職者端末２で見ることができる。つまり、求職者は、数桁の数字を入力するといった簡単な操作で求人者の求人情報を得ることができて、就職を希望する求人者の選択を容易に行うことができる。言い換えると、求人者は、求職者での簡単な操作で、広告媒体６に掲載した求人募集条件よりも詳しい求人情報を求職者に容易に提供することができ、的確な求人を行うことができる。
【００１３】
各求人者の求人対象の職種ごとに分けて求人募集条件が各記載枠７に掲載され、しかも各記載枠７が職種ごとに分類されて広告媒体６に掲載されるので、同一の求人者の求人対象の職種が複数であっても、求職者は、広告媒体６の職種ごとの欄から就職希望の職種を求人する求人者を容易に見つけ出すことができる。つまり、求人者は、自己の求人募集の内容を求職者に確実に伝えることができ、的確な求人を行うことができる。
【００１４】
求職者が自己の個人情報を求職者情報データベースに登録しておくだけで、求人者の求人募集条件に適合する求職者の個人情報が当該求人者の求人者端末１に送信されるので、求人者の方から自己の求人募集条件に適合する求職者に連絡などが行われ、これによっても求職者は、求人者の選択を容易に行うことができる。また、求人者は、自己の求人募集に合った求職者を知ることができて、より的確な求人を行うことができる。
【発明を実施するための最良の形態】
【００１５】
図面は、本発明が対象とする求人求職支援システムを示しており、図１に示すごとく、多数の求人者がそれぞれ所有する求人者端末１と、多数の求職者がそれぞれ所有する求職者端末２と、求人および求職を管理する管理者が設置した求人求職サーバ３とを含んでいる。各求人者端末１、各求職者端末２および求人求職サーバ３は、それぞれインターネット５を介して接続されている。
【００１６】
前記管理者は、就職斡旋業者や出版会社などが該当し、求人者の求人募集条件が掲載された情報誌やフリーペーパーなどの広告媒体６を発行する。求人募集条件としては、求人対象の職種、給料、勤務地および勤務時間などが該当する。
【００１７】
広告媒体６は、図２に示すごとく、各求人者の求人対象の職種ごとに求人募集条件を掲載した多数の記載枠７を有しており、各記載枠７には、掲載した求人者の求人対象の職種ごとに割り当てられたアクセス番号９がそれぞれ掲載されている。広告媒体６は、求人対象の職種ごとに欄を設けてあり、各記載枠７は、求人対象の職種ごとに分類されて広告媒体６に掲載されている。
【００１８】
例えば同一の求人者が営業職および事務職の職種で求職者を募集する場合には、広告媒体６には、前記同一の求人者の営業職の求人募集条件を記載した記載枠７が営業職募集の欄に掲載されるとともに、前記同一の求人者の事務職の求人募集条件を記載した記載枠７が事務職募集の欄に掲載される。
【００１９】
つまり、求職者は、求人対象の職種から求人者を選ぶことが一般的であるために、求人者の複数の職種の求人募集条件が一つの記載枠７にまとめて掲載されていると、多数の記載枠７を順に見て希望の職種を見つけ出す必要があり、その作業が容易ではない。これに対して、同一の求人者が複数の職種で求職者を募集する場合であっても、その職種ごとに求人者の求人募集条件が掲載されていると、求職者は、求職希望の職種の欄から所望の求人者を容易に見つけ出すことができる。
【００２０】
アクセス番号９は、４桁の数字からなっていて、求職者が求職者端末２でアクセス番号９を入力してインターネット５を介して求人求職サーバ３に送信することで、当該アクセス番号９に対応する専用サイト（図４参照）にアクセスすることができる。前記専用サイトは、求人者の求人対象の職種ごとに割り当てられている。
【００２１】
つまり、通常のサイトのアドレス（ＵＲＬ）は、アルファベット、数字および記号を多数組み合わせて形成されているために、パーソナルコンピュータなどで入力する際に手間がかかるとともに入力ミスが生じ易い。これに対して、４桁の数字を入力するだけで専用サイトにアクセスできると、サイトへのアクセスの際の手間が軽減されるうえ、入力ミスが生じ難いことになる。
【００２２】
前記求人者端末１は、パーソナルコンピュータなどからなり、図１に示すごとく、インターネット５を介して求職者端末２や求人求職サーバ３などと通信するための通信部１０と、各種のデータなどを有する記憶部１１と、キーボードなどからなる入力部１２と、ディスプレイなどからなる出力部１３と、各種の処理を行う制御部１５とを有する。
【００２３】
求職者端末２は、パーソナルコンピュータや携帯電話などからなり、アクセス番号９や求職者の個人情報などをインターネット５を介して求人求職サーバ３などに送信するための通信部１６と、各種のデータなどを記憶する記憶部１７と、文字や数字などを入力するための入力部１９と、液晶表示部などからなる出力部２０と、各種の処理を行う制御部２１とを有する。なお、求職者端末２の通信部１６は、求人者端末１や求人求職サーバ３などと各種の通信を行えるようになっている。
【００２４】
求人求職サーバ３は、汎用コンピュータなどからなり、インターネット５を介して求人者端末１や求職者端末２などと通信するための通信部２２と、求人者情報データベースや求職者情報データベースなどの各種のデータベースなどを有する記憶部２３と、キーボードなどからなる入力部２５と、ディスプレイなどからなる出力部２６と、各種の処理を行う制御部２７とを有する。
【００２５】
前記求人者情報データベースには、各求人者の求人に関する詳細な情報（以下、求人情報という。）が登録される。求人情報には、前記求人募集条件に加えて、各求人者の会社概要、職場の写真、募集概要、勤務地、勤務時間および求人者の所在地の地図などの詳細な情報が含まれる。前記求職者情報データベースには、求職者の個人情報が登録される。求職者の個人情報には、求職者の年齢、学歴、職歴、適性試験の結果、求職者が保有する資格およびメールアドレスなどが含まれる。
【００２６】
求人求職サーバ３は、図３に示す求職用ホームページ２９と、図４に示す求人者の求人対象の職種ごとに作成した求人専用サイト３０とをインターネット上に開設してある。前記ホームページ２９と求人専用サイト３０とは、求人求職サーバ３で管理されている。
【００２７】
求人専用サイト３０には、求人者情報データベースに登録された各求人者の求人対象の職種ごとの詳細な求人情報を開示してある。求人専用サイト３０の末尾には類似情報表示欄３３を設けてあり、この類似情報表示欄３３には、前記求人専用サイト３０の求人者の求人情報の内容に類似した情報が記載されて付加されている。この類似情報には、求人専用サイト３０の求人者の所在地と近い位置に所在する他の求人者の情報や、給料などの求人募集条件が類似する他の求人者の情報が該当する。他の求人者の情報としては、少なくとも他の求人者のアクセス番号９が含まれる。
【００２８】
求職用ホームページ２９には、図３に示すごとくアクセス番号９を入力するための番号入力枠３１を設けてある。そして、求職者が、求職者端末２でインターネット５を介して前記ホームページ２９にアクセスし、求職用ホームページ２９の番号入力枠３１でアクセス番号９を入力すると、当該アクセス番号９が求人求職サーバ３に送信される。
【００２９】
求人求職サーバ３は、求職者端末２から送信されたアクセス番号９を通信部２２で受信することで、制御部２７が、求人者情報データベースから前記受信したアクセス番号９に対応する求人者の求人情報を抽出し、抽出された求人情報を求人専用サイト３０として前記アクセス番号９を送信した求職者の求職者端末２に送信する。求職者は、求人専用サイト３０で募集内容などを確認したのち、応募する場合には求職者端末２などを用いて求人者にメールなどで連絡する。
【００３０】
求職用ホームページ２９には、求職者の個人情報を登録するための登録入力枠３２を設けてある。そして、求職者が、求職用ホームページ２９の登録入力枠３２で求職者端末２のメールアドレスなどを入力すると、当該メールアドレスなどが求人求職サーバ３に送信される。求人求職サーバ３は、求職者端末２から送信されたメールアドレスなどを通信部２２で受信することで、求職者の個人情報の登録用のフォームを前記求職者端末２にメールで送信する。求職者が、求職者端末２で前記フォームに個人情報を入力して求人求職サーバ３に返信すると、求人求職サーバ３は、求職者の個人情報を求職者情報データベースに登録する。
【００３１】
求人求職サーバ３は、求人者が自己の募集条件に適合する求職者を検索するためのスカウト専用サイトを有している。つまり、求人者が、求人者端末１でインターネット５を介して前記スカウト専用サイトにアクセスして、自己の求人募集条件を入力することで、求人求職サーバ３が、求職者情報データベースから求人者の求人募集条件に適合する求職者の個人情報を抽出して、抽出された求職者の個人情報を前記適合した求人募集条件の求人者の求人者端末１に通信部２２を介して送信する。なお、求人求職サーバ３は、求職者を匿名にして求人者端末１に送信する。
【００３２】
求人者は、所望の求職者が見つかった場合には、求人者端末１を使って求職者の求職者端末２に対して採用希望の旨のメールを送信する。求職者は、当該求人者への就職を希望する場合には、当該求人者とメールなどで連絡する。
【００３３】
求人求職サーバ３は、求人者の求人募集条件に適合する新規の求職者が求職者情報データベースに登録されたときには、当該求人者の求人者端末１に新規の求職者の情報をインターネット５を介してメールで送信する。
【００３４】
求人求職サーバ３は、求職者情報データベースに登録されている求職者の希望条件に適合する新規の求人者が登録されたときには、当該求職者の求職者端末２に新規の求人者の情報をインターネット５を介してメールで送信する。なお、求職用ホームページ２９には、希望の年収や勤務地などで求人者を検索するための入力枠を有している。
【図面の簡単な説明】
【００３５】
【図１】本発明にかかる求人求職支援システムのブロック構成図
【図２】広告媒体の斜視図
【図３】求職用ホームページを示す説明図
【図４】求人専用サイトを示す説明図
【符号の説明】
【００３６】
１  求人者端末
２  求職者端末
３  求人求職サーバ
５  インターネット
６  広告媒体
７  記載枠
９  アクセス番号
２９  求職用ホームページ
３０  求人専用サイト
【図１】
2006072462.tif 000003
【図２】
2006072462.tif 000004
【図３】
2006072462.tif 000005
【図４】
2006072462.tif 000006